【事件の表示】
　平成６年特許願第２４５３７３号「外科手術用クリップアプライヤ」拒絶査定不服審判事件〔平成７年９月１２日出願公開、特開平７−２３６６４４号〕について、次のとおり審決する。
【結　論】
　本件審判の請求は、成り立たない。
【理　由】
１．手続の経緯
　本願は，平成６年１０月１１日の出願（１９９３年１０月８日を国際出願日とするパリ条約による優先権主張，米国）であって，平成１６年４月６日付けで拒絶査定がなされ，これに対し，同年７月１２日付けで拒絶査定不服審判の請求がなされたものである。
　
２．本願発明
　本願の特許請求の範囲の請求項１に係る発明（以下，「本願発明」という。）は，平成１５年１０月６日付けの手続補正書により補正された明細書及び図面の記載からみて，その特許請求の範囲の請求項１に記載された，以下のとおりのものである。
「一対のハンドル(１０１，１０３)を有するハンドル部分と，
　前記ハンドル部分から延びている細長いボディ部分と，
　前記ハンドル部分と反対側の端部で前記ボディ部分から延びており，クリップを受けるための開位置と，前記ハンドル部分の移動に応答してクリップを成形するための閉位置との間で移動できる一対のジョー(１１８)とを備え，前記ジョーは，前記開位置で前記ジョー間に隙間を構成し，
　前記ボディ部分内に端と端の関係に配置された一連のクリップ(１５８)と，
　前記一連のクリップの最も近位側のクリップに係合するように位置決めされたプッシャバー(１３４)と，
　前記プッシャバーおよび前記一連のクリップを遠位方向に押圧し，前記ジョーの間に前記一連のクリップの最も遠位側のクリップを位置決めするように位置決めされた付勢部材(１４８)と
　前記ボディ部分と関連され，前記最も遠位側のクリップを端曲げするように前記ジョーを前記開位置から前記閉位置にカム作動させるためのカム作用機構と，を更に備え，前記付勢部材は，最も遠位側のクリップが前記ジョーによって端曲げされている間に第２の最も遠位側のクリップに最も遠位側のクリップをジョー内に維持させることを特徴とする外科手術中に外科用クリップを付けるための装置。」
　　
３．引用例及びその記載事項
　原査定の拒絶の理由に引用された特開昭６１−４８３４７号公報（以下，「引用例」という。）には，図面とともに，次の事項が記載されている。
（１）「本発明は改良された外科用結紮器具に関する。」（第２ページ右上欄４行）
（２）「スプリング２５はプッシャー２５ａとハウジング３０の（内側）後部との間に圧縮されている。プッシャー２５ａはプラスチックの部品であることができ，且つ最後部のクリップとスプリング２５との間のインターフエースとして役立っている。即ち，クリップ縦列の最後部のにクリップはプッシャーに隣接している；スプリング２５は複数のクリップを前方へ押すために一定の力を加えている。複数のクリップは対の整合した部材２３の長さに亘って走っている１対の内部スロット２２内に含まれている。部材２３の遠位端はあご２３ａを含む。」（第３ページ右上欄１９行−左下欄１０行）
（３）「第１図乃至第３図に示された如く，クリップは器具がその最初の休止位置にあるときあご２３ａ内にある。特に第４図乃至第６図を参照すると，クリンプ（ｃｒｉｍｐ）バーハンドル１７が圧縮されたとき，クリンプバー２４はリンク１６を介して，ピン１５によって前方へ押される。クリンプバー２４の前部端はあご２３ａの傾斜面上でカム作動する。このカム作動が２つのあごによって一緒にクリップを縁まげせしめる。」（第３ページ左下欄１９行−右下欄８行）
（４）「第４図，第５図及び第６図に示された如く，タブ２７がステム１９に当たりクリップ作動器１８を旋回する。これが爪２１を落として，スプリング２５によって前方に押されているクリップの縦列を抑止し，そして爪２０が上がり先端の縁まげされていないクリップのための通路をあける。」（第３ページ右下欄１６行−第４ページ左上欄１行）
（５）「第７図及び第８図に示されたクリップのはじき出された位置では，狭い間隔があご２３ａを分離する。最後部の縁まげされていないクリップは再装填中のあごを解放する。従ってあごは縁まげ（ｃｒｉｍｐ）の前，そして又部分的縁まげの間にクリップを保持することができる。」（第４ページ左上欄９−１４行）
（６）「逐次に第７図及び第８図を参照し，それから第１図，第２図及び第３図を参照すると，単一の縁を曲げていないクリップがクリップインジェクター８によってあご２３ａに押される。」（第４ぺージ左上欄１８行−右上欄１行）
（７）「最前部のクリップは第２図及び第２図に詳細に示された如く，あご２３ａのチツプへ押される。」（第４ページ右上欄９−１１行）
（８）第１ないし６図には，細長い部材２３がハンドル１７から延びている点，前記ハンドル１７と反対側の端部で前記部材２３から延びており，クリップを受けるための開位置と，前記ハンドル１７の移動に応答してクリップを縁まげせしめる閉位置との間で移動できる一対のあご２３ａとを備え，前記あご２３ａは，前記開位置で前記あご２３ａ間に間隙を形成された点，スプリング２５がプッシャー２５ａおよび前記クリップ縦列を前方へ押すように位置決めされた点，及び，内部スロット２２が部材２３の端に設けられた点が，それぞれ図示されている。
（９）また，第１図及び第４図には，ハンドル１７の圧縮でクリンプバー２４が前方に摺動することにより，前記クリンプバー２４との前部端と前記部材２３の先端部の前記あご２３ａの傾斜面とがカム作動し，最前部のクリップを縁まげするように前記あご２３ａを前記開位置から前記閉位置にカム作動させるための機構が図示されている。
　
　上記記載事項（１）ないし（７）及び図示事項（８）ないし（９）を総合すれば，引用例には，次の発明（以下，「引用発明」という。）が記載されているといえる。
「クリンプバーハンドル１７と，
　前記ハンドル１７から延びている細長い部材２３と，
　前記ハンドル１７と反対側の端部で前記部材２３から延びており，クリップを受けるための開位置と，前記ハンドル１７の移動に応答してクリップを縁まげせしめる閉位置との間で移動できる一対のあご２３ａとを備え，前記あご２３ａは，前記開位置で前記あご２３ａ間に間隙を形成し，
　前記部材２３内の一対の内部スロット２２内に含まれたクリップ縦列と，
　前記クリップ縦列の最後部のクリップに隣接しているプッシャー２５ａと，
　前記プッシャー２５ａおよび前記クリップ縦列を前方へ押すように位置決めされたスプリング２５と
　前記ハンドル１７の圧縮でクリンプバー２４が前方に摺動することにより，前記クリンプバー２４との前部端と前記部材２３の先端部の前記あご２３ａの傾斜面とがカム作動し，最前部のクリップを縁まげするように前記あご２３ａを前記開位置から前記閉位置にカム作動させるための機構と，を更に備えた外科用結紮器具。」
　
４．対比
　本願発明と引用発明を対比するに，後者の「クリンプバーハンドル１７」は，その機能及び作用からみて，前者の「ハンドル部分」に相当し，以下同様に，後者の「部材２３」は前者の「ボディ部分」に，後者の「縁まげ」は前者の「成形」「端曲げ」に，後者の「あご２３ａ」は前者の「ジョー（１１８）」に，後者の「クリップ縦列」は前者の「一連のクリップ（１５８）」に，後者の「隣接している」は前者の「係合するように位置決めされた」に，後者の「プッシャー２５ａ」は前者の「プッシャバー（１３４）」に，後者の「前方へ押す」は前者の「遠位方向に押圧し」に，後者の「スプリング２５」は前者の「付勢部材（１４８）」に，後者の「最前部の」は前者の「最も遠位側の」に，後者の「カム作動させるための機構」は前者の「カム作動させるためのカム作用機構」に，後者の「外科用結紮器具」は前者の「外科手術中に外科用クリップを付けるための装置」に，それぞれ相当する。
　また，上記記載事項（２）及び図示事項（８）からみて，引用発明の「内部スロット２２」は「部材２３」の端に設けられたものであり，「クリップ縦列」はこの「一対の内部スロット２２」，すなわち「部材２３内」の端と端の間に配置されたものであるといえるので，引用発明の「前記部材２３内の一対の内部スロット２２内に含まれたクリップ縦列」は，本願発明の「前記ボディ部分内に端と端の関係に配置された一連のクリップ（１５８）」に相当するといえる。
　さらに，引用発明の「前記ハンドル１７の圧縮でクリンプバー２４が前方に摺動することにより，前記クリンプバー２４との前部端と前記部材２３の先端部の前記あご２３ａの傾斜面とがカム作動し，」は，部材２３（本願発明の「ボディ部分」に相当。）に関連してクリンプバー２４とあご２３ａとがカム作動するものであることから，本願発明の「ボディ部分と関連され，」に相当するといえる。
　
　してみれば，本願発明と引用発明とは，本願発明の文言を用いて表せば，
「ハンドル部分と，
　前記ハンドル部分から延びている細長いボディ部分と，
　前記ハンドル部分と反対側の端部で前記ボディ部分から延びており，クリップを受けるための開位置と，前記ハンドル部分の移動に応答してクリップを成形するための閉位置との間で移動できる一対のジョー(１１８)とを備え，前記ジョーは，前記開位置で前記ジョー間に隙間を構成し，
　前記ボディ部分内に端と端の関係に配置された一連のクリップ(１５８)と，
　前記一連のクリップの最も近位側のクリップに係合するように位置決めされたプッシャバー(１３４)と，
　前記プッシャバーおよび前記一連のクリップを遠位方向に押圧する付勢部材(１４８)と
　前記ボディ部分と関連され，前記最も遠位側のクリップを端曲げするように前記ジョーを前記開位置から前記閉位置にカム作動させるためのカム作用機構と，を更に備えた外科手術中に外科用クリップを付けるための装置。」である点で一致し，次の点で相違する。
　
（相違点１）
　ハンドル部分について，本願発明においては，「一対のハンドル（１０１，１０３）を有する」のに対して，引用発明においては，「クリンプバーハンドル１７」が一対ではない点。
　
（相違点２）
　付勢部材について，本願発明においては，「前記ジョーの間に前記一連のクリップの最も遠位側のクリップを位置決めするように位置決めされ」るとともに，「最も遠位側のクリップが前記ジョーによって端曲げされている間に第２の最も遠位側のクリップに最も遠位側のクリップをジョー内に維持させる」ものであるのに対し，引用発明においては，そのようなものになっていない点。
　
５．判断
　上記各相違点について検討する。
　
（１）相違点１について
　外科用クリップ結紮器具において，クリンプするためのハンドルを一対とすることは周知技術である（原査定の拒絶の理由で引用された特開平３−３９１４９号公報，同特開昭６４−２６４０号公報等を参照）ことから，引用発明のクリンプハンドル１７を一対とすることは，当業者が容易になし得ることである。
　よって，引用発明及び上述の周知技術に基いて，上記相違点１に係る本願発明の構成とすることは，当業者が容易になし得ることである。
　
（２）相違点２について
　外科用クリップ結紮器具において，最後列クリップに係合したバネによりクリップ縦列全体を付勢して，該クリップ縦列の最前列クリップをクランプあご部の間に位置決めするとともに，該最前列クリップが曲げられている間に，最前列から２番目のクリップに該最前列クリップを該クランプあご部内で維持することは，周知技術である（原査定で引用された米国特許第４４２７００８号明細書，米国特許第４５５７２６３号明細書，米国特許４５０９５１８号明細書，米国特許第４２９６７５１号明細書等を参照）ことから，引用発明のスプリング２５について，あご２３ａの間にクリップ縦列の最も最前列のクリップを位置決めするように位置決めされるとともに，最前列のクリップがあご２３ａによって縁まげされている間に最前列から２番目のクリップに該最前列のクリップをあご２３ａ内で維持することは，当業者が容易になし得ることである。
　よって，引用発明及び周知技術に基いて，上記相違点２に係る本願発明の構成とすることは，当業者が容易になし得ることである。
  　
　また，上記相違点１及び２によって，本願発明が奏する作用・効果も，引用発明及び周知技術から予測される範囲のものであって，格別なものとは認められない。
　
６．むすび
　以上のとおり，本願発明は，引用発明及び周知技術に基いて当業者が容易に発明をすることができたものであるから，特許法第２９条第２項の規定により，特許を受けることができない。
　
　よって，結論のとおり審決する。